(57)【要約】【課題】無線環境を考慮した最適の無線データ網を介して無線データサービスの提供を受ける。【解決手段】複数の無線データ網に関する情報とこれに対応して予め決定された優先順位を格納するメモリ１４０と、前記予め設定された優先順位に従って無線データ網２００を選択する制御部１２０と、前記選択された無線データ網２００を介してサーバ３００に接続を試みるモジュール部１１０と、を含む。【選択図】図１
2007074730.tif 000002
【特許請求の範囲】
【請求項１】
複数の無線データ網に関する情報とこれに対応して予め決定された優先順位を格納するメモリと、
前記予め設定された優先順位に従って無線データ網を選択する制御部と、
前記選択された無線データ網を介してサーバに接続を試みるモジュール部と、
を含むことを特徴とする移動通信端末機。
【請求項２】
前記複数の無線データ網は、ＣＤＭＡ、ＷＬＡＮ、ＷｉＢｒｏ、ＷｉＭＡＸ、及びＧＳＭを含むことを特徴とする請求項１に記載の移動通信端末機。
【請求項３】
前記モジュール部は、ハードウェアモデムで実現されることを特徴とする請求項１に記載の移動通信端末機。
【請求項４】
前記モジュール部は、ソフトウェアモデムで実現されることを特徴とする請求項１に記載の移動通信端末機。
【請求項５】
前記制御部は、前記無線データサービスのＱｏＳを測定する測定装置をさらに含み、該ＱｏＳによって前記優先順位を決定することを特徴とする請求項１に記載の移動通信端末機。
【請求項６】
前記ＱｏＳは、ＲＳＳＩ、ＳＩＮＲ、Ｅｃ/Ｉｏのうち少なくとも一つであることを特徴とする請求項５に記載の移動通信端末機。
【請求項７】
前記メモリは前記無線データサービスの使用料金情報を格納し、前記制御部は前記使用料金情報によって前記優先順位を決定することを特徴とする請求項１に記載の移動通信端末機。
【請求項８】
前記モジュール部は、前記決定された優先順位に従って予め定められた回数だけ前記無線データ網を介してサーバに接続を試みることを特徴とする請求項１に記載の移動通信端末機。
【請求項９】
複数の無線データ網に関する情報とこれに対応して予め決定された優先順位を格納する段階と、
予め設定された優先順位に従って無線データ網を選択する段階と、
前記選択された無線データ網を介してサーバに接続を試みる段階と、
を含むことを特徴とする移動通信端末機の無線データ網の接続方法。
【請求項１０】
前記複数の無線データ網は、ＣＤＭＡ、ＷＬＡＮ、ＷｉＢｒｏ、ＷｉＭＡＸ、及びＧＳＭを含むことを特徴とする請求項９に記載の移動通信端末機の無線データ網の接続方法。
【請求項１１】
前記格納する段階は、複数の無線データ網に関する情報とこれに対応して予め決定された優先順位を格納する前に、前記無線データサービスのＱｏＳを測定し、該ＱｏＳによって前記優先順位を決定することを特徴とする請求項９に記載の移動通信端末機の無線データ網の接続方法。
【請求項１２】
前記ＱｏＳは、ＲＳＳＩ、ＳＩＮＲ、Ｅｃ/Ｉｏのうち少なくとも一つであることを特徴とする請求項１１に記載の移動通信端末機の無線データ網の接続方法。
【請求項１３】
前記格納する段階は、複数の無線データ網に関する情報とこれに対応して予め決定された優先順位を格納する前に、前記無線データサービスの使用料金情報を格納し、該使用料金情報によって前記優先順位を決定することを特徴とする請求項９に記載の移動通信端末機の無線データ網の接続方法。
【請求項１４】
前記接続を試みる段階は、前記優先順位に従って予め定められた回数だけ前記無線データ網を介してサーバに接続を試みることを特徴とする請求項９に記載の移動通信端末機の無線データ網の接続方法。
【発明の詳細な説明】
【技術分野】
【０００１】
本発明は、無線データサービスをサポートする移動通信端末機に関し、特に、無線環境を考慮した最適の無線データ網を選択し得る移動通信端末機とその無線データ網の接続方法に関する。
【背景技術】
【０００２】
一般に、移動通信端末機は、無線基地局により形成されるサービス領域内で移動しながら携帯電話スイッチングセンター（Mobile Switching Center；ＭＳＣ）のスイッチング制御を通じていつどこでも直ちに相手を無線呼出及び無線接続して通信し得る装置であって、移動通信の飛躍的な発展によって全世界的に無線データサービスの受容を可能にするだけでなく高速化される傾向にある。
【０００３】
前記移動通信端末機は、ＣＤＭＡ（Code Division Multiple Access）、ＧＳＭ（Global System for Mobile Communications）、ＷＬＡＮ（Wireless Local Area Network）、ＷｉＢｒｏ（Wireless Broadband）、及びＷｉＭＡＸ（Worldwide Interoperability for Micro-wave Access）などの各無線データ網を通じて無線データサービスを提供する。
【０００４】
前記移動通信端末機は、前記各無線データ網を通じてインターネットに接続して入出金などの銀行業務を行うモバイルバンキング、オンラインゲームをするモバイルゲーム、映画をリアルタイムで見るモバイル映画など多様なオンラインコンテンツの提供を受けることができるように、携帯電話、ＰＤＡ、及びノートブックコンピュータなどの長所を取り込んだ多様な製品が開発されている。このような移動通信端末機は、ウェブブラウザーなどのような様々なアプリケーションを実現するための多様なプロトコルを適用している。
【０００５】
前記移動通信端末機は、前記ＣＤＭＡと前記ＷＬＡＮ、又は前記ＧＳＭと前記ＷＬＡＮなどを同時にサポートしているため、ユーザは、所望の無線データ網を選択して該選択された無線データ網を通じて無線データサービスを利用することができる。
【発明の開示】
【発明が解決しようとする課題】
【０００６】
しかし、従来の無線データサービスをサポートする移動通信端末機においては、無線データサービスに対応する無線データ網をユーザ自身が直接選択するものであったので、必ずしも最適な無線データ網を選択して利用することができないという問題があった。
【０００７】
本発明は、前記のような問題に鑑みてなされたもので、無線環境を考慮した最適の無線データ網を介して無線データサービスの提供を受けるようとする移動通信端末機とその無線データ網の接続方法を提供することを目的とする。
【課題を解決するための手段】
【０００８】
前記目的を達成するために、本発明に係る無線データサービスをサポートする移動通信端末機は、複数の無線データ網に関する情報とこれに対応して予め決定された優先順位を格納するメモリと、前記予め設定された優先順位に従って無線データ網を選択する制御部と、  前記選択された無線データ網を介してサーバに接続を試みるモジュールと、を含むことを特徴とする。
【０００９】
また、前記目的を達成するために、本発明に係る移動通信端末機の無線データ網の接続方法は、複数の無線データ網に関する情報とこれに対応して予め決定された優先順位を格納する段階と、予め設定された優先順位に従って無線データ網を選択する段階と、前記選択された無線データ網を介してサーバに接続を試みる段階と、を含むことを特徴とする。
【発明の効果】
【００１０】
本発明に係る移動通信端末機においては、複数の無線データ網について予め決定された優先順位に従って無線データ網を選択して該無線データ網を介してサーバとの接続を試みることで、無線環境を考慮した最適の無線データ網を介して無線データサービスの提供を受けることができる。
【発明を実施するための最良の形態】
【００１１】
以下、本発明に係る移動通信端末機とその無線データ網の接続方法の好ましい実施形態について図１〜図３を参照して説明する。
本発明は、無線データサービスのための無線データ網であるＣＤＭＡ、ＧＳＭ、ＷＬＡＮ、ＷｉＢｒｏ、及びＷｉＭＡＸを一つの移動通信端末機で支援可能にした無線データサービスをサポートする移動通信端末機を提案する。詳しくは、本発明は、前記各無線データ網の性能の点検を通じて最適の無線データサービスの提供を受けようとする移動通信端末機である。
【００１２】
図１は、本発明に係る無線データサービスをサポートする移動通信端末機の構成を示す図である。 
図１に示すように、本発明に係る移動通信端末機１００は、複数の無線データ網に関する情報とこれに対応して予め決定された優先順位を格納するメモリ１４０と、前記決定された優先順位に従って無線データ網を表示するディスプレイ部１３０と、前記予め設定された優先順位に従って無線データ網を選択する制御部１２０と、前記選択された無線データ網を介してサーバに接続を試みるモジュール部１１０とを含む。
【００１３】
ここで、前記モジュール部１１０、前記制御部１２０、及び前記ディスプレイ部１３０から構成された移動通信端末機１００は、前記無線データ網２００を通じて前記サーバ３００との間でデータを送受信することで、該送受信されたデータに基づいて前記無線データ網２００の性能を点検することができる。特に、前記移動通信端末機１００は、前記無線データ網２００のＱｏＳ（Quality of Service）や使用料金に基づいて優先順位を決定する。ここでは、まず、前記無線データ網２００のＱｏＳに基づいて優先順位を決定する本発明の第１実施形態に係る移動通信端末機の無線データ網の接続方法について図２を参照して説明する。
【００１４】
図２は、本発明の第１実施形態に係る移動通信端末機の無線データ網の接続方法を示すフローチャートである。
図２に示すように、本発明の第１実施形態に係る移動通信端末機の無線データ網の接続方法は、複数の無線データ網の性能によって優先順位を決定する段階（Ｓ２１０）と、前記決定された優先順位に従って無線データ網を選択する段階（Ｓ２２０）と、前記選択された無線データ網を介してサーバに接続を試みる段階（Ｓ２３０）とを含む。
【００１５】
ここで、前記試験結果は、前記無線データ網のＱｏＳの良否を基準とするが、前記無線データ網のＱｏＳは、ＲＳＳＩ（Radio Signal Strength Indicator）、ＳＩＮＲ（Signal Interference Noise Ratio）及びＥｃ/Ｉｏ（Energy of Carrier/Interference of Other’s）のうち、少なくとも１つを基準とすることが好ましい。
【００１６】
このような本発明の第１実施形態に係る移動通信端末機の無線データ網の接続方法について詳細に説明すると、次のとおりである。
まず、前記移動通信端末機１００は、前記無線データサービスのための無線データ網であるＣＤＭＡ、ＧＳＭ、ＷＬＡＮ、ＷｉＢｒｏ、及びＷｉＭＡＸなどをサポートし得る各モジュールから構成されたモジュール部１１０を設けている。ここで、該モジュール部１１０は、ハードウェアモデムで実現されるか、又はソフトウェアモデムで実現されることが好ましい。
【００１７】
前記移動通信端末機１００は、周期的に前記モジュール部１１０を通じて前記複数の無線データ網２００を介してサーバ３００に接続し、該サーバ３００との間でデータを送受信して無線データ網のＱｏＳの良否を点検し、これを前記メモリ１４０に格納する。即ち、前記制御部１２０は、無線データ網毎に前記ＲＳＳＩ、前記ＳＩＮＲ、前記Ｅｃ/Ｉｏを測定し、その結果を比較することで、前記各無線データ網２００の性能の良否を点検する。ここで、前記制御部１２０は、前記無線データ網２００のＱｏＳを測定する別途の測定装置１２１を内部に備えている。
【００１８】
これにより、前記制御部１２０は、前記各無線データ網２００の性能に従って前記無線データ網２００の優先順位を決定し（Ｓ２１０）、該決定された優先順位に従って前記無線データ網２００を前記ディスプレイ部１３０に出力することで、これをユーザに通知する。
【００１９】
また、前記制御部１２０は、前記各無線データ網２００と、これらに対応する前記決定された優先順位を前記メモリ１４０に格納させて、前記各無線データ網２００の性能を管理する。
【００２０】
そして、前記制御部１２０は、前記決定された優先順位に従って前記無線データ網を選択し（Ｓ２２０）、前記モジュール部１１０は、前記選択された無線データ網を介してサーバに接続を試みるが（Ｓ２３０）、このような無線データ網に接続を試みる過程を例示すると、次のとおりである。
【００２１】
まず、ＣＤＭＡ、ＷＬＡＮ、ＷｉＢｒｏの無線データ網の性能による優先順位がＣＤＭＡ、ＷＬＡＮ、ＷｉＢｒｏの順に決定されたと仮定する。
【００２２】
前記移動通信端末機１００は、制御部１２０により最初に前記ＣＤＭＡ網を選択し、モジュール部１１０により該ＣＤＭＡ網を介してサーバに接続を試みる。ここで、前記移動通信端末機１００は、前記ＣＤＭＡ網に接続できた時には、該ＣＤＭＡ網を通じて前記無線データサービスの提供を受け、前記ＣＤＭＡに接続できなかった時には、モジュール部１１０により予め定められた回数だけ再接続を試みる。ここで、前記予め定められた回数は、３回であることが好ましい。
【００２３】
前記ＣＤＭＡ網に再接続できなかった時、前記移動通信端末機１００は、制御部１２０により前記ＷＬＡＮ網を選択し、モジュール部１１０により該ＷＬＡＮ網を介してサーバに接続を試みる。ここで、前記移動通信端末機１００は、前記ＷＬＡＮ網に接続できた時には、前記ＷＬＡＮ網を通じて前記無線データサービスの提供を受け、前記ＷＬＡＮ網に接続できなかった時には、モジュール部１１０により前記予め定められた回数だけ再接続を試みる。
【００２４】
前記ＷＬＡＮ網に再接続できなかった時、前記移動通信端末機１００は、制御部１２０により前記ＷｉＢｒｏ網を選択し、モジュール部１１０により該ＷｉＢｒｏ網を介してサーバに接続を試みる。ここで、前記移動通信端末機１００は、前記ＷｉＢｒｏ網に接続した時には、前記ＷｉＢｒｏ網を通じて前記無線データサービスの提供を受け、前記ＷｉＢｒｏ網に接続できなかった時には、モジュール部１１０により前記予め定められた回数だけ再接続を試みる。
【００２５】
以後、前記移動通信端末機１００の制御部１２０は、前記無線データ網２００のＣＤＭＡ、ＷＬＡＮ、ＷｉＢｒｏに全て接続できなかった時、前記無線データ網２００に接続できなかったことを前記ディスプレイ部１３０を通じてユーザに通知する。
【００２６】
以下、前記無線データ網２００の使用料金に基づいて優先順位を決定する本発明の第２実施形態に係る移動通信端末機の無線データ網の接続方法について図３を参照して説明する。
【００２７】
図３は、本発明の第２実施形態に係る移動通信端末機の無線データ網の接続方法を示すフローチャートである。
図３に示すように、本発明の第２実施形態に係る移動通信端末機の無線データ網の接続方法は、複数の無線データ網の使用料金情報に従って優先順位を決定する段階（Ｓ３１０）と、前記決定された優先順位に従って無線データ網を選択する段階（Ｓ３２０）と、前記選択された無線データ網を介してサーバに接続を試みる段階（Ｓ３３０）とを含む。
【００２８】
ここで、前記移動通信端末機は、前記無線データ網に対する多様な料金体系に関する情報をメモリ１４０に予め記憶している。この場合、制御部１２０は、前記格納された使用料金情報に従って無線データ網２００の優先順位を決定する。例えば、前記料金体系は、定額制や時間、地域に応じた変動料金などである。
【００２９】
このように構成された本発明の第２実施形態に係る移動通信端末機の無線データ網の接続方法は、前記本発明の第１実施形態に係る移動通信端末機の無線データ網の接続方法で説明された内容と略同一であるため、これに対する詳細な説明は省略する。ただし、この第２実施形態においては、前記各無線データ網２００の優先順位を決定する基準として、前記無線データ網２００のＱｏＳの代わりに前記無線データ網２００の使用料金情報を適用するものである。
【００３０】
ここで、説明の便宜上、前記無線データ網がＣＤＭＡ、ＷＬＡＮ、及びＷｉＢｒｏの場合について述べたが、本発明がこれに限定されず、無線データ網は前記無線データサービスを提供するための如何なる無線データ網であってもよい。
【００３１】
また、本発明は、最適の無線データ網を選択するための基準として、ＲＳＳＩ、ＳＩＮＲ、Ｅｃ/Ｉｏ、及び使用料金に限定されず、データの転送速度のような前記無線データ網の性能やユーザの利便性を向上させ得る要因が適用されてもよい。
【図面の簡単な説明】
【００３２】
【図１】本発明に係る移動通信端末機の構成を示す図面である。
【図２】本発明の第１実施形態に係る移動通信端末機の無線データ網の接続方法を示すフローチャートである。
【図３】本発明の第２実施形態に係る移動通信端末機の無線データ網の接続方法を示すフローチャートである。
【符号の説明】
【００３３】
１００  移動通信端末機
１１０  モジュール部
１２０  制御部
１２１  測定装置
１３０  ディスプレイ部
１４０  メモリ
２００  無線データ網
３００  サーバ
【図１】
2007074730.tif 000003
【図２】
2007074730.tif 000004
【図３】
2007074730.tif 000005